(57)【要約】  本発明は、照明器具であり、光出力面に開口部を備えるハウジングと、前記ハウジング内に取り付けられ、前記光出力面を向いている反射器と、前記ハウジングの前記開口部に取り付けられるルーバと、ＬＥＤであって、放射されるＬＥＤ光が、前記反射器における反射後にしか前記照明器具を出ず、それによって、間接光出力を供給するように、前記ルーバ内に取り付けられるＬＥＤとを持つ照明器具に関する。
2009516330.tif 000002
【特許請求の範囲】
【請求項１】
照明器具であり、光出力面に開口部を持つハウジングと、前記ハウジング内に取り付けられ、前記光出力面を向いている反射器と、前記ハウジングの前記開口部に配設され、前記反射器に向かって開口する幾何学的形状を持つルーバと、前記ルーバ内に配設され、前記反射器上へ光を放射する複数のＬＥＤとを有する照明器具であり、前記光が、前記反射器において反射され、前記照明器具の光出力を構成する照明器具であって、前記ルーバが、前記ＬＥＤから前記ハウジングの前記開口部の方への直接的な光の放射を防止し、グレアを防止する照明器具。
【請求項２】
請求項１に記載の照明器具であって、前記ルーバが、細長いルーバ部を有し、前記ＬＥＤが、前記細長いルーバ部の長手方向に沿って配設される照明器具。
【請求項３】
請求項２に記載の照明器具であって、前記反射器が、細長く、前記細長いルーバ部が、前記反射器の長手方向に沿って延在する照明器具。
【請求項４】
請求項２又は３に記載の照明器具であって、前記細長いルーバ部が、ほぼＶ字形の断面を持つ照明器具。
【請求項５】
請求項１乃至４のいずれか一項に記載の照明器具であって、前記反射器が、ダブルパラボラ状であり、前記ＬＥＤの少なくとも幾つかが、ダブルパラボラ状の前記反射器の２つのパラボラ部分の間の中央境界線に沿って延在する照明器具。
【請求項６】
請求項１乃至５のいずれか一項に記載の照明器具であって、蛍光ランプを更に有する照明器具。
【請求項７】
請求項１乃至６のいずれか一項に記載の照明器具であって、前記ルーバが、格子状をしている照明器具。
【発明の詳細な説明】
【技術分野】
【０００１】
本発明は、光出力面に開口部を持つハウジングと、前記ハウジング内に取り付けられ、前記光出力面を向いている反射器と、間接光出力を供給するために前記反射器を用いる光源としての複数のＬＥＤとを有する照明器具に関する。
【背景技術】
【０００２】
従来技術の上記のタイプの照明器具は、ドイツ特許出願公開番号第 DE10314257A1号において開示されている。このドイツの従来技術の照明器具は、長手方向に同じ長さに広がる光導体が配設される中央長手方向開口部を有する反射器を持つ。光導体の後ろに、ＬＥＤのアレイ、より詳細にはＬＥＤの列が、光導体の長さに沿って配設される。ＬＥＤから発せられる光は、光導体を通る。ＬＥＤ光の一部は、光導体によって反射器の表面の方へ屈折させられ、反射器によって照明器具の光出力面の方へ反射され、ＬＥＤ光の残りは、光導体によって光出力面の方へ拡散される。従って、照明器具を見る観察者は、直接的に光導体を通り抜けるＬＥＤ光と、光導体を通り抜けて反射器によって反射されるＬＥＤ光との組み合わせを見る。
【０００３】
従来技術の照明器具には、幾つかの不利な点があり、とりわけ、ＬＥＤの固定された配置、照明器具の設計における自由の制限、及び複雑な光導体といった不利な点がある。 
【発明の開示】
【発明が解決しようとする課題】
【０００４】
本発明の目的は、従来技術の照明器具の上記の不利な点を改善する照明器具を提供することにある。
【課題を解決するための手段】
【０００５】
この目的は、請求項１に規定されているような本発明による照明器具によって達成される。
【０００６】
本発明は、前記照明器具の主な特性は、間接的な光学的諸特性であり、前記間接的な光学的諸特性は、前記ＬＥＤを覆い隠して、前記観察者が直視しないようにすることによって得られるという洞察に基づいている。 
【０００７】
本発明の或る態様によれば、照明器具であって、光出力面に開口部を持つハウジングと、前記ハウジング内に取り付けられ、前記光出力面を向いている反射器と、前記開口部に配設されるルーバとを有する照明器具が提供される。前記ルーバは、前記反射器から離間され、前記反射器に向かって開口する幾何学的形状を持つ。更に、前記照明器具は、複数のＬＥＤを持ち、前記複数のＬＥＤは、前記ルーバ内に配設され、前記反射器上へ光を放射する。前記光は、前記反射器において反射され、前記照明器具の光出力を構成する。前記ルーバは、前記ＬＥＤから前記ハウジングの前記開口部の方への直接的な光の放射を防止し、グレアを防止する。
【０００８】
前記ルーバを前記ＬＥＤの支持体として用いることによって、前記ＬＥＤの配置を自由に選ぶことが可能であり、それによって、望ましいような様々な光分布を得るために、前記反射器の形状を自由に選ぶことも可能である。 
【０００９】
請求項２に規定されているような、本発明による照明器具の実施例においては、前記ＬＥＤは、アレイ内に配設される。
【００１０】
請求項４に規定されているような、本発明による照明器具の実施例においては、前記ＬＥＤは、Ｖ字形ルーバ内に配設され、前記ＬＥＤの取り付けを容易にし、良好な遮蔽効果を供給する。
【００１１】
請求項５に規定されているような、本発明による照明器具の実施例においては、ＬＥＤは、前記照明器具の中央に配設され、良好な光分布を供給する。ＬＥＤは、放射される光の量及び／又は光の分布に寄与する他の場所にも設置され得る。
【００１２】
本発明のこれら及び他の態様、特徴及び利点は、下記の実施例を参照して説明され、明らかにされる。
【００１３】
ここで、添付した図面を参照して本発明をより詳細に説明する。
【発明を実施するための最良の形態】
【００１４】
本発明による照明器具１０１の第１実施例は、ハウジング１０３と、反射器１０５と、ルーバ１０７と、複数の発光ダイオード（ＬＥＤ）１０９とを有する。ハウジング１０３は、箱形をしており、底面開口部１１１を持ち、底面は、ハウジング１０３の光出力面を構成する。反射器１０５は、ハウジング１０３内に取り付けられ、反射面は、開口部１１１に向かう下方を向いている。ルーバ１０７は、開口部１１１においてハウジング１０３の側縁部と係合される。ルーバ１０７は、格子を形成する幾つかの細長いルーバ部１１３を持つ。格子は、開口部１１１の中央においてハウジング１０３の長手方向に沿って延在する長手方向中央ルーバ部１１５と、中央ルーバ部１１５に垂直に延在し、ハウジング１０３の長い側部の間に延在する複数の分岐ルーバ部１１７とから成る。ルーバ部１１３は、断面においてほぼＶ字形をしており、より詳細には、各ルーバ部１１３の２つの壁部は、上方へ分かれ、わずかに湾曲している。従って、ルーバ部１１３は、反射器１０５に向かって開口する。 
【００１５】
ＬＥＤ１０９は、アレイ内に配設され、より詳細には、中央ルーバ部１１５に沿った列内に配設される。反射器１０５は、反射器の２つのパラボラ半体１２１、１２３の内側の長い側縁部の間の境界線１１９に沿って相互接続されているダブルパラボラ反射器である。従って、境界線１１９は、中央ルーバ部１１５の上に、中央ルーバ部１１５と平行に延在する。 
【００１６】
ＬＥＤ１０９に電力が供給される場合、ＬＥＤ１０９は、反射器１０５の方へ光を放射する。放射されたＬＥＤ光は、両方のパラボラ半体１２１、１２３に拡散される。次いで、放射されたＬＥＤ光は、反射器によって、ハウジング１０１の開口部１１１の方へ、及び開口部１１１の外へ反射される。ＬＥＤ１０９は、ルーバ部１１５において凹所に置かれることから、照明器具１０１を見上げる人には、直接的なＬＥＤ光は見えず、反射器１０３における反射後に前記人に届く間接的なＬＥＤ光しか見えない。
【００１７】
ここで図２を参照すると、本発明による照明器具の第２実施例は、細長いシングルパラボラ反射器２０５と、格子状ルーバ２０７と、第１実施例と同様な、中央ルーバ部２１５に沿った列内に配設される複数のＬＥＤ２０９とを有する。更に、照明器具２０１は、第２光源を有し、前記第２光源は、ＬＥＤの列の斜め上に、ＬＥＤの列と平行に延在する２本の細長い蛍光ランプ、即ち、蛍光管２１０で構成されている。この実施例においては、ハウジングは、省かれている、即ち、反射器２０５が、ハウジングを構成する、又はハウジングと一体化している。
【００１８】
この第２実施例においては、ＬＥＤ２０９は、光出力の調整を可能にするために、ランプ２１０と組み合わされる。例えば、ＬＥＤ２０９は、一般に白色光を放射する第２光源２１０の光に有色光を付加するのに用いられ得る。この方法においては、白色光は、より冷色若しくは暖色にされ得る、又はパステルカラーが実現され得る。ＬＥＤ２０９がＲＧＢのＬＥＤである場合には、任意の色が付加され得る。両方の光源、即ち、ＬＥＤ２０９及びランプ２１０を個々に調光可能にすることによって、色のバランスをとることが実施可能である。その場合、例えば、ＬＥＤ２０９から放射される飽和光は、第２光源２１０から放射される白色光を付加することによってより淡く柔らかにされ得る。 
【００１９】
他の例においては、第２光源２１０が調光される又はオフに切り換えられる場合に、ＬＥＤ２０９は、照明器具において装飾的な色彩効果を供給し得る。 
【００２０】
ここで図３ａ及び３ｂを参照すると、本発明による照明器具の第３実施例は、ドーム状反射器３０５と、反射器の開口部３１１に取り付けられる、プラス記号のような形をしたルーバ３０７と、中央ランプ３１０とを有する。ＬＥＤ３０９は、ルーバ３０７の両直交部３１３、３１５に沿ったアレイ内に配設され、反射器３０５に向けて上方へ光を放射し、反射器３０５は、ドーム３０５の開口部３１１の外へ光を反射する。少なくとも、第１実施例もまた、全ルーバにＬＥＤを持つことができ、ルーバの任意の部分にＬＥＤを持つ実施例もあり得ることは理解されたい。しかしながら、細長い照明器具においては、少なくとも中央ルーバ部にＬＥＤを設けることは好ましい。 
【００２１】
上記に加えて、照明器具内にバッテリパックを加え、バッテリパックをＬＥＤに接続する緊急時スイッチを加えることによって、照明器具のＬＥＤは、緊急時照明のために用いられ得る。従って、通常の給電が中断される場合、緊急時スイッチが、バッテリパックをＬＥＤに接続する。
【００２２】
上には、本発明による照明器具の実施例が記載されている。これらは、単なる非限定例にすぎないとみなされるべきである。当業者には理解されるように、本発明の範囲内には多くの修正例及び別の実施例があり得る。 
【００２３】
例えば、ルーバは、Ｕ字形若しくはＷ字形にされることができ、又はＬＥＤが観察者による直視から隠されるよう取り付け可能である凹部を供給する任意の他の形状を持ち得る。
【００２４】
従って、上記の実施例によって説明されているように、照明器具は、開口底面ハウジングと、ハウジング内に取り付けられる反射器と、ハウジングの開口部に取り付けられるルーバと、ＬＥＤであって、放射されるＬＥＤ光が、反射器における反射後にしか照明器具を出ず、それによって、間接光出力を供給するように、ルーバ内に取り付けられるＬＥＤとを持つ。  
【００２５】
この出願のためには、とりわけ、添付した請求項に関しては、「有する」という用語は、他の要素又はステップを除外せず、単数形表記は、複数性を除外しないことに注意されたい。このこと自体は、当業者には明らかであろう。
【図面の簡単な説明】
【００２６】
【図１ａ】本発明による照明器具の実施例の断面図である。
【図１ｂ】図１ａの照明器具の下からの斜視図である。
【図１ｃ】図１ａの照明器具の一部の分解図である。
【図２】本発明による照明器具の別の実施例の断面図である。
【図３ａ】本発明による照明器具の別の実施例の下からの斜視図である。
【図３ｂ】図３ａの照明器具の分解図である。
【図１ａ】
2009516330.tif 000003
【図１ｂ】
2009516330.tif 000004
【図１ｃ】
2009516330.tif 000005
【図２】
2009516330.tif 000006
【図３ａ】
2009516330.tif 000007
【図３ｂ】
2009516330.tif 000008
【国際調査報告】
2009516330.tif 000009
2009516330.tif 000010
2009516330.tif 000011